(57)【特許請求の範囲】
【請求項１】
顧客の建物を構成する部品の仕様情報が出力される建物仕様書を作成するために必要なデータを管理するサーバと、このサーバにネットワークを介して接続された利用者が操作する端末装置と、を含んで構成され、
前記サーバは、前記顧客の前記建物を構成する前記部品の前記仕様情報を、前記顧客の前記建物の識別情報及び前記部品の識別情報と関連付けて記憶する建物仕様情報記憶手段と、この建物仕様情報記憶手段に記憶された前記顧客の前記建物を構成する前記部品の前記仕様情報に基づいて、前記建物仕様書を作成する処理を実行する建物仕様書作成処理手段と、を備えた建物仕様書作成システムにおいて、
前記建物仕様書には、前記部品の前記仕様情報が出力される部品仕様情報出力領域が複数設定されており、それぞれの前記部品仕様情報出力領域には、それぞれの前記部品仕様情報出力領域を識別するための識別情報が割り当てられており、
前記サーバは、
前記建物仕様書に前記仕様情報を出力する前記部品の前記識別情報と、前記部品の前記仕様情報が出力される前記建物仕様書の前記部品仕様情報出力領域の識別情報と、を含む情報を、前記顧客の前記建物の前記識別情報と関連付けて記憶する建物仕様書出力対象部品情報記憶手段と、
前記仕様情報が確定した前記部品の一覧を表示するとともにこの一覧から前記建物仕様書に前記仕様情報を出力する前記部品を選択させるための建物仕様書出力対象部品表示・選択画面の表示用データを前記端末装置へ送信するとともに、前記建物仕様書出力対象部品表示・選択画面で選択されて前記端末装置から前記ネットワークを介して送信されてくる前記部品の識別情報を含む情報を受信する処理を実行する建物仕様書出力対象部品選択受付処理手段と、
前記建物仕様書の前記部品仕様情報出力領域の一覧を表示するとともにこの一覧から前記建物仕様書出力対象部品選択受付処理手段により受け付けた前記部品の前記仕様情報を出力させる前記部品仕様情報出力領域を選択させるため部品仕様情報出力領域表示・選択画面の表示用データを前記端末装置へ送信するとともに、前記部品仕様情報出力領域表示・選択画面で選択されて前記端末装置から前記ネットワークを介して送信されてくる前記建物仕様書の前記部品仕様情報出力領域の識別情報を含む情報を受信する処理を実行する部品仕様情報出力領域選択受付処理手段と、
前記建物仕様書出力対象部品選択受付処理手段により受け付けた前記建物仕様書に前記仕様情報を出力する前記部品の前記識別情報と、前記部品仕様情報出力領域選択受付処理手段により受け付けた前記部品の前記仕様情報が出力される前記建物仕様書の前記部品仕様情報出力領域の識別情報と、を含む情報を、前記顧客の前記建物の前記識別情報と関連付けて前記建物仕様書出力対象部品情報記憶手段に記憶させる処理を実行する建物仕様書出力対象部品情報登録処理手段と、
を備えており、
前記建物仕様書作成処理手段は、前記建物仕様書出力対象部品情報記憶手段に記憶された前記建物仕様書に前記仕様情報を出力する前記部品の前記識別情報と、前記部品の前記仕様情報が出力される前記建物仕様書の前記部品仕様情報出力領域の識別情報と、前記建物仕様情報記憶手段に記憶された前記顧客の前記建物を構成する前記部品の前記仕様情報と、含む情報に基づいて、前記建物仕様書を作成する処理を実行することを特徴とする建物仕様書作成システム。
【請求項２】
請求項１に記載の建物仕様書作成システムにおいて、前記建物仕様書には、前記顧客の前記建物の図面が出力される建物図面出力領域が設定されていることを特徴とする建物仕様書作成システム。
【請求項３】
請求項２に記載の建物仕様書作成システムにおいて、前記建物図面出力領域は、前記建物仕様書の中央部に配置されており、前記部品仕様情報出力領域は、前記建物図面出力領域の周縁部に配置されていることを特徴とする建物仕様書作成システム。
【請求項４】
請求項２又は３に記載の建物仕様書作成システムにおいて、前記建物仕様書作成処理手段により作成される前記建物仕様書のデータ形式は、表計算ソフトウェアで読み込み可能なスプレッドシート形式であることを特徴とする建物仕様書作成システム。
【請求項５】
請求項４に記載の建物仕様書作成システムにおいて、前記建物仕様書作成処理手段は、それぞれの前記部品仕様情報出力領域を識別するための前記識別情報を前記建物図面出力領域に出力することを特徴とする建物仕様書作成システム。
【請求項６】
請求項５に記載の建物仕様書作成システムにおいて、前記建物仕様書作成処理手段により前記建物図面出力領域に出力されるそれぞれの前記部品仕様情報出力領域を識別するための前記識別情報は、データ形式が前記スプレッドシート形式となっている前記建物仕様書の前記建物図面出力領域を移動可能な画像データで形成されていることを特徴とする建物仕様書作成システム。
【請求項７】
請求項２〜６のいずれかに記載の建物仕様書作成システムにおいて、前記建物図面出力領域に出力される前記顧客の前記建物の前記図面は、前記端末装置から前記サーバへアップロード可能となっており、前記サーバは、アップロードする前記顧客の前記建物の前記図面を前記端末装置で選択入力させてこの端末装置から前記ネットワークを介してアップロードされてくる前記顧客の前記建物の前記図面を前記サーバに保存する処理を実行する建物図面アップロード処理手段を備えていることを特徴とする建物仕様書作成システム。
【請求項８】
請求項１〜７のいずれかに記載の建物仕様書作成システムにおいて、前記サーバは、建物仕様書作成処理手段により作成された前記建物仕様書を前記端末装置にダウンロードする処理を実行する建物仕様書ダウンロード処理手段を備えていることを特徴とする建物仕様書作成システム。
【請求項９】
請求項１〜８のいずれかに記載の建物仕様書作成システムにおいて、前記建物仕様書のそれぞれの前記部品仕様情報出力領域に出力される前記部品の前記仕様情報には、少なくとも前記部品の画像情報が含まれていることを特徴とする建物仕様書作成システム。
【発明の詳細な説明】
【技術分野】
【０００１】
本発明は、建物の部品の仕様が記載された建物仕様書を作成するための建物仕様書作成システムに係り、例えば、住宅、事務所、倉庫、店舗、工場、校舎、宿泊所、車庫等の部品の仕様が記載された建物仕様書の作成に利用することができる。
【背景技術】
【０００２】
従来より、コンピュータを利用して建物の仕様の確定を支援するための建物仕様確定支援システムが提案されている。
【０００３】
下記の特許文献１に示されている建物仕様確定支援システムである住宅仕様確定支援システムでは、図１で示されているように、顧客の建物である住宅を構成する部品の仕様情報が出力される建物仕様書である住宅仕様書を作成するための必要なデータを管理するサーバ１と、このサーバ１にネットワーク２を介して接続された利用者が操作する端末装置３と、を含んで構成されている。
【０００４】
サーバ１は、顧客の住宅を構成する部品の仕様情報を、顧客の住宅の識別情報及び部品の識別情報と関連付けて記憶する建物仕様情報記憶手段である住宅仕様情報テーブル１１と、この住宅仕様情報テーブル１１に記憶された顧客の住宅を構成する部品の仕様情報に基づいて、住宅仕様書を作成する処理を実行する建物仕様書作成処理手段である帳票データファイル作成処理手段５０と、を備えたものとなっている。
【０００５】
すなわち、この住宅仕様確定支援システムでは、顧客との打ち合わせにより仕様が確定され、あるいは、住宅の販売店の担当者により仕様が確定された住宅を構成する部品の仕様情報（部品の画像情報及び属性情報）を一覧表化した建物仕様書である図１５及び図１６に示す住宅仕様書（フィニッシュシート）が、図１に示すサーバ１の住宅仕様書作成システムを構成する住宅仕様書作成処理手段である帳票データファイル作成処理手段５０により作成されるものとなっている。
【０００６】
この帳票データファイル作成処理手段５０により作成される住宅仕様書に仕様情報が出力（言い換えると、印刷）される部品の並び順は、予め決まっている。
【先行技術文献】
【特許文献】
【０００７】
【特許文献１】特開２０１１−１８３１７号公報
【発明の概要】
【発明が解決しようとする課題】
【０００８】
ところで、住宅を構成する部品は多数あり、出力される住宅仕様書は、複数ページに渡るため、仕様を確認する重要度が高い部品を最初の方のページに出力し、仕様を確認する重要度が高くない部品を後ろの方のページに出力したい場合がある。
【０００９】
しかし、上述した従来の住宅仕様書では、この住宅仕様書に仕様情報が出力される部品の並び順は予め決まっており、言い換えると、固定されている。
【００１０】
このため、住宅仕様書に仕様情報が出力される部品の並び順を柔軟に変更できるように住宅仕様書作成システムを工夫することが求められていた。
【００１１】
本発明の目的は、建物仕様書に仕様情報が出力される部品の並び順を柔軟に変更できるようになる建物仕様書作成システムを提供するところにある。
【課題を解決するための手段】
【００１２】
本発明に係る建物仕様書作成システムは、顧客の建物を構成する部品の仕様情報が出力される建物仕様書を作成するための必要なデータを管理するサーバと、このサーバにネットワークを介して接続された利用者が操作する端末装置と、を含んで構成され、前記サーバは、前記顧客の前記建物を構成する前記部品の前記仕様情報を、前記顧客の前記建物の識別情報及び前記部品の識別情報と関連付けて記憶する建物仕様情報記憶手段と、この建物仕様情報記憶手段に記憶された前記顧客の前記建物を構成する前記部品の前記仕様情報に基づいて、前記建物仕様書を作成する処理を実行する建物仕様書作成処理手段と、を備えた建物仕様書作成システムにおいて、前記建物仕様書には、前記部品の前記仕様情報が出力される部品仕様情報出力領域が複数設定されており、それぞれの前記部品仕様情報出力領域には、それぞれの前記部品仕様情報出力領域を識別するための識別情報が割り当てられており、前記サーバは、前記建物仕様書に前記仕様情報を出力する前記部品の前記識別情報と、前記部品の前記仕様情報が出力される前記建物仕様書の前記部品仕様情報出力領域の識別情報と、を含む情報を、前記顧客の前記建物の前記識別情報と関連付けて記憶する建物仕様書出力対象部品情報記憶手段と、前記仕様情報が確定した前記部品の一覧を表示するとともにこの一覧から前記建物仕様書に前記仕様情報を出力する前記部品を選択させるための建物仕様書出力対象部品表示・選択画面の表示用データを前記端末装置へ送信するとともに、前記建物仕様書出力対象部品表示・選択画面で選択されて前記端末装置から前記ネットワークを介して送信されてくる前記部品の識別情報を含む情報を受信する処理を実行する建物仕様書出力対象部品選択受付処理手段と、前記建物仕様書の前記部品仕様情報出力領域の一覧を表示するとともにこの一覧から前記建物仕様書出力対象部品選択受付処理手段により受け付けた前記部品の前記仕様情報を出力させる前記部品仕様情報出力領域を選択させるため部品仕様情報出力領域表示・選択画面の表示用データを前記端末装置へ送信するとともに、前記部品仕様情報出力領域表示・選択画面で選択されて前記端末装置から前記ネットワークを介して送信されてくる前記建物仕様書の前記部品仕様情報出力領域の識別情報を含む情報を受信する処理を実行する部品仕様情報出力領域選択受付処理手段と、前記建物仕様書出力対象部品選択受付処理手段により受け付けた前記建物仕様書に前記仕様情報を出力する前記部品の前記識別情報と、前記部品仕様情報出力領域選択受付処理手段により受け付けた前記部品の前記仕様情報が出力される前記建物仕様書の前記部品仕様情報出力領域の識別情報と、を含む情報を、前記顧客の前記建物の前記識別情報と関連付けて前記建物仕様書出力対象部品情報記憶手段に記憶させる処理を実行する建物仕様書出力対象部品情報登録処理手段と、を備えており、前記建物仕様書作成処理手段は、前記建物仕様書出力対象部品情報記憶手段に記憶された前記建物仕様書に前記仕様情報を出力する前記部品の前記識別情報と、前記部品の前記仕様情報が出力される前記建物仕様書の前記部品仕様情報出力領域の識別情報と、前記建物仕様情報記憶手段に記憶された前記顧客の前記建物を構成する前記部品の前記仕様情報と、含む情報に基づいて、前記建物仕様書を作成する処理を実行することを特徴とするものである。
【００１３】
本発明では、上述したように、建物仕様書に複数設定されているそれぞれの部品仕様情報出力領域には、それぞれの部品仕様情報出力領域を識別するための識別情報（言い換えると、部品仕様情報出力位置番号）が割り当てられており（言い換えると、付与されており）、これらの識別情報は、サーバの建物仕様書出力対象部品情報記憶手段に、顧客の建物毎（言い換えると、顧客の建物単位）に記憶されている。
【００１４】
また、本発明では、建物仕様書に仕様情報を出力する部品の選択は、サーバの建物仕様書出力対象部品選択受付処理手段により実行され、この建物仕様書出力対象部品選択受付処理手段により受け付けた部品の仕様情報を出力させる建物仕様書の部品仕様情報出力領域の選択は、サーバの部品仕様情報出力領域選択受付処理手段により実行され、建物仕様書出力対象部品選択受付処理手段により受け付けた建物仕様書に仕様情報を出力する部品の識別情報と、部品仕様情報出力領域選択受付処理手段により受け付けた部品の仕様情報が出力される建物仕様書の部品仕様情報出力領域の識別情報と、を含む情報を、顧客の建物の識別情報と関連付けて建物仕様書出力対象部品情報記憶手段に記憶させる処理が、サーバの建物仕様書出力対象部品情報登録処理手段により実行される。
【００１５】
そして、本発明では、サーバの建物仕様書作成処理手段は、建物仕様書出力対象部品情報記憶手段に記憶された建物仕様書に仕様情報を出力する部品の識別情報と、部品の仕様情報が出力される建物仕様書の部品仕様情報出力領域の識別情報と、建物仕様情報記憶手段に記憶された顧客の建物を構成する部品の仕様情報と、含む情報に基づいて、建物仕様書を作成する処理を実行するようになっている。
【００１６】
このように、本発明では、サーバに備えられている部品仕様情報出力領域選択受付処理手段により、部品の仕様情報を出力させる建物仕様書の部品仕様情報出力領域を自由に選択することが可能となっている。
【００１７】
このため、本発明によると、建物仕様書に仕様情報が出力される部品の並び順を柔軟に変更できるようになる。
【００１８】
本発明において、建物仕様書には、顧客の建物の図面が出力される建物図面出力領域が設定されているようにしてもよく、しなくてもよい。
【００１９】
前者の場合によると、部品仕様情報出力領域に仕様情報が出力された部品と、顧客の建物との位置関係を把握することが可能となる。言い換えると、部品仕様情報出力領域に仕様情報が出力された部品が、顧客の建物のどの部分を構成する（言い換えると、形成する）ものであるかを把握することが可能となる。
【００２０】
ここで、顧客の建物の図面とは、例えば、顧客の建物の立面図（東立面図、西立面図、南立面図、北立面図等）でもよく、顧客の建物の平面図でもよく、顧客の建物のパース図等でもよい。
【００２１】
本発明において、建物仕様書における部品仕様情報出力領域と建物図面出力領域の配置関係は、任意なものでよく、その一例は、建物図面出力領域を建物仕様書の中央部に配置し、部品仕様情報出力領域を建物図面出力領域の周縁部に配置することである。
【００２２】
以上の本発明において、建物仕様書作成処理手段により作成される建物仕様書のデータ形式は、任意なものでよく、例えば、表計算ソフトウェアで読み込み可能なスプレッドシート形式であってもよく、文書作成ソフトウェアで読み込み可能なデータ形式であってもよく、プレゼンテーションソフトウェアで読み込み可能なデータ形式であってもよく、画像処理ソフトウェアで読み込み可能なデータ形式であってもよく、文書ビューワーソフトウェアで読み込み（言い換えると、閲覧）可能なデータ形式等であってもよい。
【００２３】
なお、建物仕様書作成処理手段により作成される建物仕様書は、サーバに保存されずに、サーバや端末装置に直接接続されたプリンターや、サーバや端末装置とネットワーク接続（無線接続でもよく、有線接続でもよい）されたプリンターから直接出力される（言い換えると、印刷される）ものでもよい。
【００２４】
なお、建物仕様書作成処理手段により作成される建物仕様書のデータ形式が、上述した表計算ソフトウェア、文書作成ソフトウェア、プレゼンテーションソフトウェア、画像処理ソフトウェア等で読み込み可能なデータ形式である場合には、建物仕様書作成処理手段は、それぞれの部品仕様情報出力領域を識別するための識別情報を建物図面出力領域に出力するようにしてもよく、しなくてもよい。
【００２５】
前者の場合によると、部品仕様情報出力領域に仕様情報が出力された部品と、顧客の建物との位置関係を容易に把握することが可能となる。言い換えると、部品仕様情報出力領域に仕様情報が出力された部品が、顧客の建物のどの部分を構成する（言い換えると、形成する）ものであるかを容易に把握することが可能となる。
【００２６】
ここで、建物仕様書作成処理手段により建物図面出力領域に出力されるそれぞれの部品仕様情報出力領域を識別するための識別情報は、データ形式が上述したスプレッドシート形式等となっている建物仕様書の建物図面出力領域を移動可能な画像データで形成するようにしてもよく、しなくてもよい。
【００２７】
前者の場合によると、建物仕様書の建物図面出力領域に出力されたそれぞれの部品仕様情報出力領域を識別するための識別情報の配置位置を容易に変更することができるようになる。
【００２８】
本発明において、建物図面出力領域に出力される顧客の建物の図面は、端末装置からサーバへアップロード可能とし、サーバには、アップロードする顧客の建物の図面を端末装置で選択入力させてこの端末装置からネットワークを介してアップロードされてくる顧客の建物の図面をサーバに保存する処理を実行する建物図面アップロード処理手段を備えるようにしてもよい。
【００２９】
これによると、建物図面出力領域に出力される顧客の建物の図面を、端末装置から容易に差し替えたりすることが可能となる。
【００３０】
以上の本発明において、サーバには、建物仕様書作成処理手段により作成された建物仕様書を端末装置にダウンロードする処理を実行する建物仕様書ダウンロード処理手段を備えるようにしてもよく、しなくてもよい。
【００３１】
前者の場合によると、建物仕様書作成処理手段により作成された建物仕様書を、顧客が持ち帰ることができ、また、担当者が顧客宛のメールに添付することができるようになる。
【００３２】
以上の本発明において、建物仕様書のそれぞれの部品仕様情報出力領域に出力する部品の仕様情報の内訳（言い換えると、詳細）は、任意なものでよいが、少なくとも部品の画像情報が含まれていることが好ましい。
【００３３】
これによると、顧客は、部品の仕様情報が文字情報のみである場合と比較して、建物仕様書のそれぞれの部品仕様情報出力領域に出力される部品の仕様を容易に把握することができるようになる。
【００３４】
なお、部品の画像情報とは、例えば、部品の一部又は全体が表示されている代表的な画像や、部品の属性種別である色が何色であるかが分かる画像等をいう。
【００３５】
以上の本発明において、「建物」とは、例えば、住宅、事務所、倉庫、店舗、工場、校舎、宿泊所、車庫等をいう。
【００３６】
また、以上の本発明において、「担当者」とは、例えば、建物の販売店の営業担当者（専門知識を有する建築士等の有資格者が好ましい）でもよく、設計担当者でもよく、施工担当者等でもよい。また、本発明において、顧客とは、建物の建築主である施主及びその家族等をいう。
【００３７】
なお、本発明において、「記憶手段に記憶させる処理」とは、記憶手段にデータ（言い換えると、レコード）を新規登録する処理、又は記憶手段に既に登録されているデータ（登録済のデータ）を更新する処理をいう。
【００３８】
また、本発明において、端末装置は任意なものでよく、この端末装置は、例えば、市販されているデスクトップパソコンでもよく、ノートパソコンでもよく、タブレットパソコンでもよく、スマートフォンでもよく、端末機能しか有さない端末専用装置（移動可能のものでもよく、移動不可能のものでもよい）でもよく、あるいは、これらを併用するものでもよい。端末装置が携帯可能なノートパソコンやタブレットパソコン等となっている場合には、担当者は、端末装置を持って顧客の居る場所へ訪問し、その場で端末装置を操作してこの顧客の建物の仕様書を作成するとともに、作成された建物仕様書を顧客に見せたり、渡したりすることができるようになる。
【発明の効果】
【００３９】
本発明によると、建物仕様書に仕様情報が出力される部品の並び順を柔軟に変更できるようになるという効果を得られる。
【図面の簡単な説明】
【００４０】
【図１】図１は、本発明の一実施形態に係る建物仕様書作成システムのシステム構成図である。
【図２】図２は、６種類のシートで構成される建物仕様書のうち、出力する部品の選択と選択した部品の並び順を編集することが可能なシートを選択するための建物仕様書編集対象シート表示・選択画面を示す図である。
【図３】図３は、建物仕様書出力対象部品表示・選択画面を示す図である。
【図４】図４は、アップロードする顧客の建物の図面を選択入力するためのアップロード建物図面選択入力画面を示す図である。
【図５】図５は、図４で選択入力された建物の図面のアップロード処理の実行確認をさせるためのアップロード処理実行確認ウィンドウを示す図である。
【図６】図６は、図４で選択入力された建物の図面のアップロード処理が完了したことを知らせるためのアップロード処理完了メッセージウィンドウを示す図である。
【図７】図７は、図２に示す建物仕様書編集対象シート表示・選択画面のうち、編集対象のシートとして選択したシートの名称の下に、アップロードされた顧客の建物の図面のファイル名が表示されたときを示す図である。
【図８】図８は、部品の仕様情報を出力させる建物仕様書の部品仕様情報出力領域を選択させるため部品仕様情報出力領域表示・選択画面を示す図である。
【図９】図９は、図８において、部品の仕様情報を出力させる建物仕様書の部品仕様情報出力領域が選択された後の建物仕様書出力対象部品表示・選択画面を示す図３と同様の図である。
【図１０】図１０は、図９で示されている状態において、再度部品仕様情報出力領域表示・選択画面を表示させたときを示す図である。
【図１１】図１１は、１８個ある部品仕様情報出力領域のうち、識別情報である出力位置番号１〜１０の領域が選択済であって、現在出力対象として選択中の部品は出力位置番号１１の領域を選択済であることを示す図１０と同様の図である。
【図１２】図１２は、出力位置番号１の領域に出力することが選択された「屋根材」の部品の色の仕様情報と、「破風・鼻隠し」の部品の仕様情報については、メインページの部品仕様情報出力領域ではなく、サブページに出力することが選択されたことを示す図９と同様の図である。
【図１３】図１３は、作成された建物仕様書が表計算ソフトウェアで読み込まれ、この建物仕様書の６種類のシートのうち、「外部１」のシートが画面表示されたときを示す図である。
【図１４】図１４は、作成された建物仕様書が表計算ソフトウェアで読み込まれ、この建物仕様書の６種類のシートのうち、「内部１」のシートが画面表示されたときを示す図である。
【図１５】図１５は、図１３で示されている「外部１」のシートの明細部の全体図である。
【図１６】図１６は、図１５で示されている「外部１」のシートの明細部の部分拡大図である。
【図１７】図１７は、図１５で示されている「外部１」のシートの明細部を構成する部品仕様情報出力領域のうち、出力位置番号１の領域の拡大図である。
【図１８】図１７は、図１５で示されている「外部１」のシートの明細部を構成する部品仕様情報出力領域のうち、出力位置番号１１の領域の拡大図である。
【図１９】図１９は、図１６で示されている「外部１」のシートの明細部の建物図面出力領域に出力された画像データで形成されたそれぞれの出力位置番号を移動させたときを示す図である。
【図２０】図２０は、図１４で示されている「内部１」のシートの明細部の全体図である。
【図２１】図２１は、図２０で示されている「内部１」のシートの明細部の部分拡大図である。
【図２２】図２２は、図２１で示されている「内部１」のシートの明細部の建物図面出力領域に出力された画像データで形成されたそれぞれの出力位置番号を移動させたときを示す図である。
【発明を実施するための形態】
【００４１】
以下に本発明を実施するための形態を図面に基づいて説明する。図１は、本発明の一実施形態に係る建物仕様書作成システムのシステム構成図である。この図１に示すように、本実施形態に係る建物仕様書作成システムは、顧客の建物を構成する部品の仕様情報が出力される建物仕様書２１を作成するための必要なデータを管理するサーバ１と、このサーバ１にネットワーク２を介して接続された利用者が操作する端末装置３と、を含んで構成されており、建物である住宅に適用したものとなっている。
【００４２】
サーバ１には、建物仕様書２１を作成するためのデータベースを構成するトランザクションデータやマスタデータが備えられている。トランザクションデータは、顧客情報テーブル１０と、建物仕様情報テーブル１１と、を含んで構成されている。また、マスタデータは、部品カテゴリ情報マスタ１５と、部品情報マスタ１６と、部品属性情報マスタ１７と、を含んで構成されている。
【００４３】
サーバ１の顧客情報テーブル１０は、顧客（建物の施主）の基本情報を記憶するためのテーブルとなっており、この顧客情報テーブルのデータ項目には、顧客ＩＤ、プランＩＤ、契約Ｎｏ、氏名、建設地、契約日、着工予定日、引渡し予定日、部材発注予定日、部材入荷予定日、販売区分、商品区分、版ＩＤ、商品記号、坪面積、階数等があり、顧客ＩＤが顧客の識別情報となっており、プランＩＤが顧客の建物の識別情報となっている。
【００４４】
このため、顧客情報テーブル１０は、顧客の基本情報を、顧客ＩＤとプランＩＤとに関連付けて記憶する顧客情報記憶手段となっている。
【００４５】
サーバ１の建物仕様情報テーブル１１は、顧客の建物の仕様情報、すなわち、顧客の建物を構成する部品の仕様情報を記憶するためのテーブルであり、この建物仕様情報テーブル１１のデータ項目には、顧客ＩＤ、プランＩＤ、部品カテゴリＩＤ、パターン名称、部品ＩＤ、確定品番（仕様が確定した部品の商品番号（言い換えると、型番））、確定部品名称（仕様が確定した部品の名称）、確定部品単価（仕様が確定した部品の単価）、確定数量（仕様が確定した部品の発注数量）、代表部品画像（この画像が格納されているサーバ１のファイルパス）、属性種別の名称である属性種別名称（例えば、仕様が確定した部品の種類、幅、高さ、奥行き、材質、色等）、属性値の名称である属性値名称（仕様が確定した部品の属性種別に対する値の名称）、属性値を画像で表した属性画像（この画像が格納されているサーバ１のファイルパス）、メーカーＩＤ、メーカー名称、確定保留区分、仕上場所区分、ユーザーＩＤ等がある。
【００４６】
ここで、部品カテゴリＩＤは、建物を構成する部品のカテゴリの識別情報であり、部品ＩＤは、建物を構成する部品の識別情報であり、メーカーＩＤは、部品のメーカーの識別情報である。このため、建物仕様情報テーブル１１は、顧客の建物を構成する部品の仕様情報（数量や属性情報等の情報）を、プランＩＤと、部品ＩＤとに、関連付けて記憶する建物仕様情報記憶手段となっている。
【００４７】
なお、「確定保留区分」とは、この建物仕様情報テーブル１１に登録されている仕様情報が、確定されたものであるか、あるいは、確定が保留されているものであるかどうかを判定するための区分であり、本実施形態では、「確定保留区分」には、１（確定）、２（保留）等がある。
【００４８】
また、「仕上場所区分」とは、この建物仕様情報テーブル１１に登録されている部品のカテゴリが、内装の仕上に関連するカテゴリであるか否かを判定するための区分であり、本実施形態では、０（ゼロ）（仕上カテゴリ以外）、１（床仕上のカテゴリ）、２（壁仕上のカテゴリ）、３（天井仕上のカテゴリ）等がある。
【００４９】
なお、「パターン名称」とは、建物における部品が配置される場所等のパターンの名称であり、この「パターン名称」には、例えば、「１Ｆ  玄関」、「１Ｆ  ホール」、「１Ｆ  居間・食堂」、「１Ｆ  台所」、「１棟内全て」、「バルコニー直下」、「玄関前」、「１セット目」、「２セット目」等がある。
【００５０】
本実施形態では、顧客の建物を構成する部品の仕様情報を顧客の建物の識別情報（プランＩＤ）と関連付けて記憶する建物仕様情報記憶手段は、顧客情報テーブル１０と、建物仕様情報テーブル１１と、を含んで構成されるものとなっている。
【００５１】
サーバ１の建物仕様書出力対象部品情報テーブル１２は、建物仕様情報テーブル１１に仕様情報が記憶されている部品のうち、建物仕様書２１に仕様情報を出力する対象となる部品を記憶するためのテーブルであり、この建物仕様書出力対象部品情報テーブル１２のデータ項目には、プランＩＤ、シート区分、部品ＩＤ、部品仕様情報出力領域（出力位置）番号（１〜１８，０又はスペース）、画像ファイルパス、画像区分、画像タイトル名称等がある。
【００５２】
後述するように、本実施形態では、図１に示されているサーバ１の建物仕様書作成処理手段３６により、データ形式がスプレッドシート形式となっている建物仕様書２１が作成されるものとなっている。１個のデータファイルとして成されるこの建物仕様書２１は、６種類のシートで構成されており、これらのシートの表示の切り替えは、表計算ソフトウェアで読み込まれたときに画面に表示されるタブの操作で行われるようになっている。
【００５３】
ここで、建物仕様書出力対象部品情報テーブル１２のデータ項目「シート区分」とは、これら６種類のシートのうち、５種類のシートを識別するための識別情報であり、本実施形態では、「シート区分」には、本実施形態では、１０（外部１（部位カテゴリ（大分類）が「外部」である部品の仕様情報が出力されるシート））、２０（外部２（部位カテゴリ（大分類）が「外部」である部品の仕様情報が出力されるシート））、３０（内部１（部位カテゴリ（大分類）が「内部」である部品の仕様情報が出力されるシート））、４０（内部２（部位カテゴリ（大分類）が「内部」である部品の仕様情報が出力されるシート））、５０（水廻り設備（部位カテゴリ（大分類）が「水廻り設備」である部品の仕様情報が出力されるシート））がある。
【００５４】
なお、「シート区分」に、１０（外部１）と２０（外部２）とがあるのは、部位カテゴリ（大分類）が「外部」である部品の仕様情報が出力されるシートを２枚に分けたい場合があるからである。これと同様に、「シート区分」に、３０（内部１）と４０（内部２）とがあるのは、部位カテゴリ（大分類）が「内部」である部品の仕様情報が出力されるシートを２枚に分けたい場合があるからである。
【００５５】
本実施形態に係る建物仕様書２１のうち、「シート区分」が１０，２０，３０，４０であるシートでは、後述する図１３で示されているように、このシートの１ページであるメインページ１００の明細部１０２の中央部には、顧客の建物の図面が出力される建物図面出力領域１０３が設定されており、この建物図面出力領域１０３の周縁部には、部品の仕様情報が出力される部品仕様情報出力領域１０４が１８個設定されている。本実施形態では、これら１８個の部品仕様情報出力領域１０４のそれぞれに仕様情報を出力する部品を自由に選択することができるようになっている。言い換えると、１８個の部品については、メインページ１００において、仕様情報を出力させる位置（領域）を自由に選択することができるようになっている。
【００５６】
建物仕様書出力対象部品情報テーブル１２のデータ項目「部品仕様情報出力領域（出力位置）番号」とは、当該レコードの部品の仕様情報が、メインページ１００の１８個の部品仕様情報出力領域１０４のいずれかに出力されることを選択した場合に、当該レコードの部品の仕様情報が出力される部品仕様情報出力領域（出力位置）の識別情報である。
この「部品仕様情報出力領域（出力位置）番号」には、１〜１８，スペース（０（ゼロ）やＮＵＬＬとしてもよい）があり、この「部品仕様情報出力領域（出力位置）番号」＝スペースであるレコードは、このレコードの部品の仕様情報は、シートの２ページ以降のページであるサブページに出力されることを意味する。
【００５７】
また、本実施形態では、建物仕様書２１に出力される部品の仕様情報は、少なくとも画像情報（部品の代表的な画像である代表部品画像や、部品の属性種別の属性値を画像で表した属性画像）を含む情報となっている。
【００５８】
このため、建物仕様書出力対象部品情報テーブル１２のデータ項目「画像ファイルパス」とは、建物仕様書２１に出力される画像データが格納されているサーバ１のファイルパスとなっており、この「画像ファイルパス」には、前述した建物仕様情報テーブル１１のデータ項目「代表部品画像」又は「属性画像」のファイルパス情報が格納される。
【００５９】
また、建物仕様書出力対象部品情報テーブル１２のデータ項目「画像区分」とは、上述したデータ項目「画像ファイルパス」の画像情報の種類を識別するための区分であり、この「画像区分」には、１（部品画像）、２（色属性画像（属性種別が「色」である場合の属性画像））、３（その他属性画像（属性種別が「色」以外である場合の属性画像））等がある。上述したデータ項目「画像ファイルパス」の画像が「代表部品画像」である場合、「画像区分」には、１（部品画像）が格納され、上述したデータ項目「画像ファイルパス」の画像が「属性画像」である場合、「画像区分」には、２（色属性画像）又は３（その他属性画像）が格納される。
【００６０】
建物仕様書出力対象部品情報テーブル１２のデータ項目「画像タイトル名称」には、建物仕様書２１に出力される画像の下部に出力される「画像タイトル名称」の情報が格納される。
【００６１】
このため、建物仕様書出力対象部品情報テーブル１２は、建物仕様書２１に仕様情報を出力する部品の識別情報である部品ＩＤと、部品の仕様情報が出力される建物仕様書２１の部品仕様情報出力領域の識別情報である部品仕様情報出力領域（出力位置）番号と、を含む情報を、プランＩＤと、シート区分と、に関連付けて記憶する建物仕様書出力対象部品情報記憶手段となっている。
【００６２】
サーバ１の建物仕様書出力用図面情報テーブル１３は、端末装置３からアップロードされ、建物仕様書２１の建物図面出力領域に出力させる顧客の建物の図面情報を記憶するためのテーブルであり、この建物仕様書出力用図面情報テーブル１３のデータ項目には、プランＩＤ、シート区分、画像ファイルパス（端末装置３からアップロードされ、サーバ１に保存された図面のファイルパス）等がある。
【００６３】
本実施形態では、「シート区分」には、前述した建物仕様書出力対象部品情報テーブル１２のデータ項目「シート区分」のうち、１０（外部１（部位カテゴリ（大分類）が「外部」である部品の仕様情報が出力されるシート））、２０（外部２（部位カテゴリ（大分類）が「外部」である部品の仕様情報が出力されるシート））、３０（内部１（部位カテゴリ（大分類）が「内部」である部品の仕様情報が出力されるシート））、４０（内部２（部位カテゴリ（大分類）が「内部」である部品の仕様情報が出力されるシート））がある。すなわち、本実施形態では、顧客の建物の図面が出力できるシートは、「シート区分」が１０，２０，３０，４０のシートのみとなっている。
【００６４】
このため、建物仕様書出力用図面情報テーブル１３は、端末装置３からアップロードされ、建物仕様書２１の建物図面出力領域に出力させる顧客の建物の図面情報を、プランＩＤと、シート区分と、に関連付けて記憶する建物仕様書出力用図面情報記憶手段となっている。
【００６５】
なお、建物仕様書２１の建物図面出力領域に出力させる顧客の建物の図面のアップロード処理は、サーバ１の建物図面アップロード処理手段３５により実行される。
【００６６】
なお、建物仕様書出力対象部品情報テーブル１２への情報の登録又は更新処理は、図１に示すサーバ１の建物仕様書作成処理手段３６により建物仕様書２１が作成される処理が実行されるときに、サーバ１の建物仕様書出力対象部品情報登録処理手段３８により実行される。
【００６７】
なお、後述するように、６種類のシートで構成される建物仕様書２１のうち、仕様情報を出力する部品の選択とこの選択した部品の出力位置の選択を行うシートの選択は、図２に示す建物仕様書編集対象シート表示・選択画面５０において行われる。また、建物仕様書２１に仕様情報を出力する部品の選択は、図３に示す建物仕様書出力対象部品表示・選択画面６０において行われ、この建物仕様書出力対象部品表示・選択画面６０で選択した部品の出力位置の選択は、図８に示す部品仕様情報出力領域表示・選択画面９０において行われる。
【００６８】
サーバ１の部品カテゴリ情報マスタ１５は、建物を構成する部品のカテゴリ情報を記憶するためのマスタであり、この部品カテゴリ情報マスタ１５のデータ項目には、部品カテゴリＩＤ、部品カテゴリ名称、部品カテゴリ階層、部位カテゴリ（大分類）ＩＤ、部位カテゴリ（中分類）ＩＤ、第１階層部品カテゴリＩＤ、第２階層部品カテゴリＩＤ、第３階層部品カテゴリＩＤ、第４階層部品カテゴリＩＤ、第５階層部品カテゴリＩＤ、第６階層部品カテゴリＩＤ、表示順、必須選択フラグ、複数選択フラグ、仕上区分、表示設定区分等がある。
【００６９】
この部品カテゴリ情報マスタ１５には、部品カテゴリの情報だけでなく、この部品カテゴリの上位のカテゴリである部位カテゴリ（大分類）及び部位カテゴリ（中分類）の情報も記憶されるものとなっている。すなわち、部品カテゴリ情報マスタ１５は、部品カテゴリの情報レコードと、部位カテゴリ（大分類）の情報レコードと、部位カテゴリ（中分類）の情報レコードと、を記憶するためのマスタとなっており、部位カテゴリ情報マスタを兼ねたものとなっている。
【００７０】
「部品カテゴリＩＤ」は、部品カテゴリ、部位カテゴリ（大分類）、部位カテゴリ（中分類）の識別情報であり、これと同様に、「部品カテゴリ名称」は、部品カテゴリ、部位カテゴリ（大分類）、部位カテゴリ（中分類）の名称である。
【００７１】
「部品カテゴリ階層」は、当該レコードが、部品カテゴリの情報レコードか、部位カテゴリ（大分類）の情報レコードか、部位カテゴリ（中分類）の情報レコードか、を識別するための情報であるとともに、当該レコードが部品カテゴリの情報レコードである場合には、このレコードの部品カテゴリが属する階層を識別するための情報である。
【００７２】
「部品カテゴリ階層」が「１」である場合には、当該レコードは、部位カテゴリ（大分類）の情報レコードであり、当該レコードの「部品カテゴリＩＤ」には、この部位カテゴリ（大分類）の識別情報である部位カテゴリ（大分類）ＩＤが設定（セット）されている。「部品カテゴリ階層」が「２」である場合には、当該レコードは、部位カテゴリ（中分類）の情報レコードであり、当該レコードの「部品カテゴリＩＤ」には、この部位カテゴリ（中分類）の識別情報である部位カテゴリ（中分類）ＩＤが設定（セット）されている。「部品カテゴリ階層」が「３」以上である場合には、当該レコードは、部品カテゴリの情報レコードであり、当該レコードの「部品カテゴリＩＤ」には、この部品カテゴリの識別情報である部品カテゴリＩＤが設定（セット）されている。
【００７３】
顧客の建物を構成する部位のカテゴリの識別情報である「部位カテゴリ（大分類）ＩＤ」には、当該レコードが部位カテゴリ（大分類）の情報レコードである場合には、この部位カテゴリ（大分類）の識別情報である部位カテゴリ（大分類）ＩＤが設定されており、当該レコードが部位カテゴリ（中分類）の情報レコードである場合には、この部位カテゴリ（中分類）が属する上位の部位カテゴリの識別情報である部位カテゴリ（大分類）ＩＤが設定されており、当該レコードが部品カテゴリの情報レコードである場合には、この部品カテゴリが属する最上位の部位カテゴリの識別情報である部位カテゴリ（大分類）ＩＤが設定されている。
【００７４】
顧客の建物を構成する部位のカテゴリの識別情報である「部位カテゴリ（中分類）ＩＤ」には、当該レコードが部位カテゴリ（大分類）の情報レコードである場合には、ＮＵＬＬが設定されており（何も設定されておらず）、当該レコードが部位カテゴリ（中分類）の情報レコードである場合には、この部位カテゴリ（中分類）の識別情報である部位カテゴリ（中分類）ＩＤが設定されており、当該レコードが部品カテゴリの情報レコードである場合には、この部品カテゴリが属する上位の部位カテゴリの識別情報である部位カテゴリ（中分類）ＩＤが設定されている。
【００７５】
「第１階層部品カテゴリＩＤ」〜「第６階層部品カテゴリＩＤ」には、当該レコードが部品カテゴリのレコードであって、この部品カテゴリが２階層以下の部品カテゴリである場合において、当該レコードの部品カテゴリよりも上位の部品カテゴリの識別情報である部品カテゴリＩＤがそれぞれ設定されている。例えば、当該レコードの部品カテゴリが３階層目の部品カテゴリとなっている場合には、第２階層部品カテゴリＩＤには、当該レコードの部品カテゴリよりも１階層上の部品カテゴリの識別情報である部位カテゴリＩＤが設定されており、第１階層部品カテゴリＩＤには、当該レコードの部品カテゴリよりも２階層上の部品カテゴリの識別情報である部位カテゴリＩＤが設定されている。
【００７６】
「表示順」は、当該レコードが部品カテゴリのレコードである場合において、同一階層に複数の部品カテゴリが存在した場合に、この同一階層内での表示順を設定するための情報である。
【００７７】
「必須選択フラグ」は、当該レコードが部品カテゴリのレコードである場合において、この部品カテゴリに対する部品の選択が必須か任意かを設定するための情報である。
【００７８】
「複数選択フラグ」は、当該レコードが部品カテゴリのレコードである場合において、この部品カテゴリに対する複数の部品の選択の可否を設定するための情報である。
【００７９】
「仕上区分」は、当該レコードが部品カテゴリのレコードであって、この部品カテゴリが、内装の仕上に関連するカテゴリであるか否かを識別するための情報であり、本実施形態では、０（仕上カテゴリ以外）、１（床仕上のカテゴリ）、２（壁仕上のカテゴリ）、３（天井仕上のカテゴリ）等がある。
【００８０】
「表示設定区分」は、当該レコードが部品カテゴリのレコードであって、この部品カテゴリに属する部品の仕様情報を、建物仕様書に出力するか否かの設定をするための区分である。
【００８１】
このように、部品カテゴリ情報マスタ１５は、部品カテゴリ名称（部位カテゴリ（大分類）名称、部位カテゴリ（中分類）名称を含む）、部品カテゴリ階層、表示順、必須選択フラグ、複数選択フラグ、仕上区分、表示設定区分等を、部位カテゴリ（大分類）ＩＤと、部位カテゴリ（中分類）ＩＤと、部品カテゴリＩＤと、に関連付けて記憶する部品カテゴリ情報記憶手段となっている。
【００８２】
サーバ１の部品情報マスタ１６は、建物を構成する部品（言い換えると、建物を構成する部品のカテゴリである部品カテゴリに対して選択可能（適用可能）な実際の商品）の情報を記憶するためのマスタであり、この部品情報マスタ１６のデータ項目には、部品ＩＤ、部品カテゴリＩＤ、部品名称、部品画像（この画像が格納されているサーバ１のファイルパス）、部品単価、表示設定区分、メーカーＩＤ等があり、部品ＩＤは部品の識別情報となっており、メーカーＩＤは部品のメーカーの識別情報となっている。なお、「表示設定区分」とは、部品カテゴリ情報マスタ１５のデータ項目である「表示設定区分」と同様に、この部品情報マスタ１６の部品名称等の情報を、建物仕様書に出力するか否かの設定をするための区分である。
【００８３】
このため、部品情報マスタ１６は、部品名称、部品画像、部品単価、表示設定区分、メーカーＩＤ等を、部品ＩＤと、部品カテゴリＩＤと、に関連付けて記憶する部品情報記憶手段となっている。
【００８４】
サーバ１の部品属性情報マスタ１７は、建物を構成する部品（言い換えると、建物を構成する部品のカテゴリである部品カテゴリに対して選択可能（適用可能）な実際の商品）に対して設定可能な仕様情報である属性情報を記憶するためのマスタであり、この部品属性情報マスタ１７のデータ項目には、部品ＩＤ、部品カテゴリＩＤ、部品の属性種別の名称である属性種別名称、この属性種別に対して選択可能な属性値の名称である属性値名称、この属性値を画像で表した属性画像（この画像が格納されているサーバ１のファイルパス）、表示設定区分等がある。なお、「表示設定区分」とは、部品カテゴリ情報マスタ１５や部品情報マスタ１６の「表示設定区分」と同様に、この部品属性情報マスタ１７の属性種別名称、属性値名称、属性画像等の情報を、建物仕様書に出力するか否かの設定をするための区分である。
【００８５】
このため、部品属性情報マスタ１７は、属性種別名称、属性値名称、属性画像、表示設定区分等を、部品ＩＤ、部品カテゴリＩＤに関連付けて記憶する部品属性情報記憶手段となっている。
【００８６】
端末装置３は、キーボード、マウス等の入力手段と、ディスプレイ（タッチパネル式のものを含む）、プリンター等の出力手段と、を備えているデスクトップパソコンやノートパソコン、あるいは、タブレットパソコン等であり、これらの端末装置３は、サーバ１から送信されてくる建物仕様書２１を作成するための前述した建物仕様書編集対象シート表示・選択画面５０、建物仕様書出力対象部品表示・選択画面６０、部品仕様情報出力領域表示・選択画面９０、その他の画面の表示用データを受信し、これらの画面の表示用データは、端末装置３に備えられているＷｅｂブラウザ等のソフトウェアを介してディスプレイに出力されるものとなっている。
【００８７】
なお、本実施形態では、サーバ１で作成された建物仕様書２１は、端末装置３にダウンロードされるものとなっており、このダウンロード処理は、図１に示すサーバ１の建物仕様書ダウンロード処理手段３７により実行される。
【００８８】
なお、前述した建物仕様書編集対象シート表示・選択画面５０、建物仕様書出力対象部品表示・選択画面６０、部品仕様情報出力領域表示・選択画面９０、その他の画面の表示用データは、図１に示すサーバ１の処理手段３０により生成されるものである。また、上述した建物仕様書編集対象シート表示・選択画面５０、建物仕様書出力対象部品表示・選択画面６０、部品仕様情報出力領域表示・選択画面９０、その他の画面における画面制御処理は、サーバ１の処理手段３０により実行されるものである。
【００８９】
図１に示すように、サーバ１は、顧客の建物の仕様を確定するために必要な処理を実行する処理手段３０を備えており、この処理手段３０は、建物仕様書編集対象シート選択受付処理手段３１と、仕様確定済部品抽出処理手段３２と、建物仕様書出力対象部品選択受付処理手段３３と、部品仕様情報出力領域選択受付処理手段３４と、建物図面アップロード処理手段３５と、建物仕様書作成処理手段３６と、建物仕様書ダウンロード処理手段３７と、建物仕様書出力対象部品情報登録処理手段３８と、を含んで構成されるものとなっている。なお、サーバ１の処理手段３０は、サーバ１の記憶装置に記憶されたソフトウェアで構成されるものである。
【００９０】
建物仕様書編集対象シート選択受付処理手段３１は、６種類のシートで構成される建物仕様書２１のうち、５種類（「外部１」、「外部２」、「内部１」、「内部２」、「水廻り設備」のシートの一覧を表示するととともにこの一覧から仕様情報を出力する部品の選択とこの選択した部品の出力位置の選択（「水廻り設備」のシートは除く）を行うシートを選択させるため図２に示す建物仕様書編集対象シート表示・選択画面５０の表示用データを端末装置３に送信するとともに、建物仕様書編集対象シート表示・選択画面５０で選択されて端末装置３からネットワーク２を介して送信されてくるシートの識別情報を含む情報を受信する処理を実行する構成となっている。
【００９１】
仕様確定済部品抽出処理手段３２は、建物仕様情報テーブル１１に記憶されているレコードのうち、現在建物仕様書２１の作成対象となっている顧客の建物を構成する部品のレコードであって、仕様が確定した部品のレコードを抽出する処理を実行する構成となっており、この仕様確定済部品抽出処理手段３２により抽出されたレコードの情報が、建物仕様書２１に仕様情報を出力する部品の選択をさせるための図３に示す建物仕様書出力対象部品表示・選択画面６０に一覧表示されるものとなっている。
【００９２】
より具体的には、前述した図２に示す建物仕様書編集対象シート表示・選択画面５０で選択されたシートが「外部１」又は「外部２」である場合には、仕様確定済部品抽出処理手段３２は、建物仕様情報テーブル１１に記憶されているレコードのうち、データ項目「プランＩＤ」の情報が、現在建物仕様書２１の作成対象となっている顧客の建物の識別情報であるプランＩＤの情報と一致し、かつ、データ項目「部品カテゴリＩＤ」の情報が属する部位カテゴリ（大分類）の情報が「外部」であって、かつ、データ項目「確定保留区分」の情報が１（確定）であって、かつ、データ項目「代表部品画像」の情報がスペース以外であって、かつ、データ項目「属性画像」の情報がスペース以外であるレコードを抽出する処理を実行する。
【００９３】
また、建物仕様書編集対象シート表示・選択画面５０で選択されたシートが「内部１」又は「内部２」である場合には、仕様確定済部品抽出処理手段３２は、建物仕様情報テーブル１１に記憶されているレコードのうち、データ項目「プランＩＤ」の情報が、現在建物仕様書２１の作成対象となっている顧客の建物の識別情報であるプランＩＤの情報と一致し、かつ、データ項目「部品カテゴリＩＤ」の情報が属する部位カテゴリ（大分類）の情報が「内部」であって、かつ、データ項目「確定保留区分」の情報が１（確定）であって、かつ、データ項目「代表部品画像」の情報がスペース以外であって、かつ、データ項目「属性画像」がスペース以外であるレコードを抽出する処理を実行する。
【００９４】
さらに、建物仕様書編集対象シート表示・選択画面５０で選択されたシートが「水廻り設備」である場合には、仕様確定済部品抽出処理手段３２は、建物仕様情報テーブル１１に記憶されているレコードのうち、データ項目「プランＩＤ」の情報が、現在建物仕様書２１の作成対象となっている顧客の建物の識別情報であるプランＩＤの情報と一致し、かつ、データ項目「部品カテゴリＩＤ」の情報が属する部位カテゴリ（大分類）の情報が「水廻り設備」であって、かつ、データ項目「確定保留区分」の情報が１（確定）であって、かつ、データ項目「代表部品画像」の情報がスペース以外であって、かつ、データ項目「属性画像」がスペース以外であるレコードを抽出する処理を実行する。
【００９５】
なお、現在建物仕様書２１の作成対象となっている顧客の建物の識別情報であるプランＩＤの情報は、本実施形態に係る建物仕様書作成システムへログインするためのログイン情報の一つとなっており、本実施形態に係る建物仕様書作成システムへログインしたときに取得されるものとなっている。
【００９６】
以上の説明から分かるように、仕様確定済部品抽出処理手段３２は、建物仕様情報テーブル１１に記憶されているレコードのうち、現在建物仕様書２１の作成対象となっている顧客の建物を構成する部品のレコードであって、部品が属する部位カテゴリ（大分類）が、建物仕様書編集対象シート表示・選択画面５０で選択されたシートの部位カテゴリ（大分類）と一致し、かつ、仕様が確定した部品のレコードを抽出する処理を実行する構成となっている。
【００９７】
建物仕様書出力対象部品選択受付処理手段３３は、仕様確定済部品抽出処理手段３２により抽出された仕様情報が確定した部品の一覧を表示するとともにこの一覧から建物仕様書２１に仕様情報を出力する部品を選択させるための図３に示す建物仕様書出力対象部品表示・選択画面６０の表示用データを端末装置３へ送信するとともに、建物仕様書出力対象部品表示・選択画面６０で選択されて端末装置３からネットワーク２を介して送信されてくる部品の識別情報を含む情報を受信する処理を実行する構成となっている。
【００９８】
部品仕様情報出力領域選択受付処理手段３４は、建物仕様書２１の部品仕様情報出力領域の一覧を表示するとともにこの一覧から建物仕様書出力対象部品選択受付処理手段３３により受け付けた部品の仕様情報を出力させる部品仕様情報出力領域を選択させるため図８に示す部品仕様情報出力領域表示・選択画面９０の表示用データを端末装置３へ送信するとともに、部品仕様情報出力領域表示・選択画面９０で選択されて端末装置３からネットワーク２を介して送信されてくる建物仕様書２１の部品仕様情報出力領域の識別情報を含む情報を受信する処理を実行する構成となっている。
【００９９】
建物図面アップロード処理手段３５は、建物仕様書２１のうち、「シート区分」が１０，２０，３０，４０であるシートの１ページ目である図１３に示すメインページ１００の明細部１０２の中央部に設定されている建物図面出力領域１０３に出力する顧客の建物の図面を、端末装置３で選択入力させ、この選択入力させた図面を端末装置３からサーバ１へアップロードする処理を実行する構成となっている。なお、この建物図面アップロード処理手段３５は、建物図面出力領域１０３に出力する顧客の建物の図面を選択入力させるための図４に示すアップロード建物図面選択入力画面の表示用データを端末装置３へ送信するものとなっている。
【０１００】
建物仕様書作成処理手段３６は、建物仕様書出力対象部品表示・選択画面６０で選択された部品の仕様情報が出力された建物仕様書２１を作成する処理を実行する構成となっており、この建物仕様書作成処理手段３６により作成されたスプレッドシート形式の建物仕様書２１は、サーバ１に保存されるものとなっている。
【０１０１】
建物仕様書ダウンロード処理手段３７は、建物仕様書作成処理手段３６により作成されたスプレッドシート形式の建物仕様書２１は、サーバ１から端末装置３にダウンロードする処理を実行する構成となっている。
【０１０２】
建物仕様書出力対象部品情報登録処理手段３８は、建物仕様書出力対象部品表示・選択画面６０において、建物仕様書２１に出力することが選択された部品ついての仕様情報と、部品仕様情報出力領域表示・選択画面９０において選択された建物仕様書２１のメインページ１００における部品の仕様情報の出力領域（出力位置）番号と、を建物仕様書出力対象部品情報テーブル１２に登録又は更新する処理を実行する構成となっている。
【０１０３】
次に、本実施形態に係る建物仕様書作成システムで実行される各処理を図２〜図１２に示す画面により説明する。なお、図２〜図１２に示す画面は、端末装置３のディスプレイに出力されるものであり、これらの画面の表示用データはサーバ１から端末装置３へ送信されるもの、あるいは、端末装置３に搭載されたソフトウェアにより出力されるものである。
【０１０４】
本実施形態に係る建物仕様書作成システムの利用の開始は、端末装置３に表示される図示しないログイン画面から入力されたこれから建物仕様書２１を作成する顧客の建物の識別情報であるプランＩＤ及びパスワードがサーバ１に送信され、このサーバ１によるプランＩＤ及びパスワードの認証処理を経て行われる。なお、サーバ１へのログイン情報であるプランＩＤ及びパスワード等の情報は、システム管理者によってサーバ１の図示しないユーザー情報マスタに予め登録されている。
【０１０５】
サーバ１によるプランＩＤ及びパスワードの認証がされると、端末装置３には、図２に示す建物仕様書編集対象シート表示・選択画面５０が表示される。
【０１０６】
本実施形態では、データ形式がスプレッドシート形式となっている建物仕様書２１は、図１３から分かるように、６種類のシート（「外部１」シート、「外部２」シート、「内部１」シート、「内部２」シート、「水廻り設備」シート及び「内装」シート）で構成されており、これら６種類のシートのうち、出力する部品の選択と、建物仕様書２１のメインページ１００に出力する最大１８個の部品についての出力位置の選択（「水廻り設備」シートを除く）が可能となっているのは、５種類のシート（「外部１」シート、「外部２」シート、「内部１」シート、「内部２」シート及び「水廻り設備」シート）である。
【０１０７】
そして、本実施形態では、出力する部品の選択と、建物仕様書２１のメインページ１００に出力する最大１８個の部品についての出力位置の選択は、シート毎に行うため、建物仕様書編集対象シート表示・選択画面５０には、５種類のシートのうちの一つを選択させるためのシート名（「外部１」、「外部２」、「内部１」、「内部２」、「水廻り設備」）が表示された５個の選択ボタン５１が上下方向に並んで配置される。
【０１０８】
端末装置３の操作者は、これらの５個のシート選択ボタン５１から、出力する部品の選択と、建物仕様書２１のメインページ１００に出力する最大１８個の部品についての出力位置の選択を行うシートと対応する選択ボタン５１を「操作」（例えば、マウスのクリック操作や、端末装置３がタブレットやスマートフォンである場合には、画面のタップ操作等。以下同じ）する。なお、この建物仕様書編集対象シート表示・選択画面５０を終了させるには、右上の［Ｘ］ボタン５６を操作する。
【０１０９】
なお、この建物仕様書編集対象シート表示・選択画面５０における画面制御処理は、前述したサーバ１の建物仕様書編集対象シート選択受付処理手段３１により実行されるものとなっている。
【０１１０】
図３は、図２に示す建物仕様書編集対象シート表示・選択画面５０において、５個の選択ボタン５１のうち、「外部１」が表示されたボタン５１が操作されたときを示す図であり、この図３で示されているように、建物仕様書編集対象シート表示・選択画面５０の右側には、建物仕様書出力対象部品表示・選択画面６０が表示される。
【０１１１】
この建物仕様書出力対象部品表示・選択画面６０には、建物仕様情報テーブル１１のレコードのうち、仕様確定済部品抽出処理手段３２により抽出されたレコードの一覧が表示される。
【０１１２】
図３の例では、図２の建物仕様書編集対象シート表示・選択画面５０で「外部１」が表示されたボタン５１が操作されたため、仕様確定済部品抽出処理手段３２は、前述したように、建物仕様情報テーブル１１の記憶されているレコードのうち、データ項目「プランＩＤ」の情報が、現在建物仕様書２１の作成対象となっている顧客の建物の識別情報であるプランＩＤの情報と一致し、かつ、データ項目「部品カテゴリＩＤ」の情報が属する部位カテゴリ（大分類）の情報が「外部」であって、かつ、データ項目「確定保留区分」の情報が１（確定）であって、かつ、データ項目「代表部品画像」の情報がスペース以外であって、かつ、データ項目「属性画像」の情報がスペース以外であるレコードを抽出する処理を実行する。
【０１１３】
仕様確定済部品抽出処理手段３２により抽出されたレコードで形成される部品の仕様情報は、部位カテゴリ（中分類）単位でグループ分けされた後、建物仕様書出力対象部品表示・選択画面６０に、部位カテゴリ（中分類）の昇順に並べ替えて表示される。
【０１１４】
すなわち、図３の例では、上から、部位カテゴリ（中分類）が「屋根」のグループの部品の仕様情報、部位カテゴリ（中分類）が「外壁」のグループの部品の仕様情報、部位カテゴリ（中分類）が「タイル」のグループの部品の仕様情報、部位カテゴリ（中分類）が「玄関ドア」のグループの部品の仕様情報、部位カテゴリ（中分類）が「勝手口ドア」のグループの部品の仕様情報等が表示される。
【０１１５】
また、部位カテゴリ（中分類）が同一のグループの部品の仕様情報は、同一グループ内では、部品カテゴリの昇順に並べ替えて表示される。
【０１１６】
すなわち、図３の例では、部位カテゴリ（中分類）が「屋根」のグループ内では、上から、部品カテゴリが「屋根材」の部品の仕様情報、部品カテゴリが「破風・鼻隠し」の部品の仕様情報、部品カテゴリが「軒樋」の部品の仕様情報、部品カテゴリが「トップライト」の部品の仕様情報、部品カテゴリが「軒天材」の部品の仕様情報等が表示される。
【０１１７】
図３で示されているように、建物仕様書出力対象部品表示・選択画面６０には、上から、部位カテゴリ（中分類）名称表示欄（フィールド）６１、部品カテゴリ名称表示欄６２が配置されており、この部品カテゴリ名称表示欄６２の下には、この表示欄６２に表示される部品カテゴリに属する仕様が確定した部品の仕様情報が表示される建物仕様書出力対象部品情報欄６３が配置されている。
【０１１８】
本実施形態では、この建物仕様書出力対象部品情報欄６３に表示される部品の仕様情報には２パターンあり、１番目のパターンは、仕様が確定した部品の代表的な画像である代表部品画像を含む仕様情報であり、２番目のパターンは、仕様が確定した部品の属性種別の属性値を画像で表した属性画像を含む仕様情報である。
【０１１９】
図３の例では、部品カテゴリ名称表示欄６２の下に配置されている上下２個の建物仕様書出力対象部品情報欄６３Ａ，６３Ｂのうち、上側の建物仕様書出力対象部品情報欄６３Ａは、仕様が確定した部品の代表的な画像である代表部品画像を含む仕様情報が表示される欄となっており、下側の建物仕様書出力対象部品情報欄６３Ｂは、仕様が確定した部品の属性種別の属性値を画像で表した属性画像を含む仕様情報が表示される欄となっている。
【０１２０】
上側の建物仕様書出力対象部品情報欄６３Ａは、建物仕様書出力対象部品名称（詳細）表示欄６４と、建物仕様書出力位置番号表示欄６５と、建物仕様書出力対象部品画像表示欄６６とで構成されている。建物仕様書出力対象部品名称（詳細）表示欄６４には、建物仕様情報テーブル１１のデータ項目「確定部品名称」の情報が表示され、建物仕様書出力位置番号表示欄６５には、図８に示す部品仕様情報出力領域表示・選択画面９０で出力位置番号が選択された部品については、選択された出力位置番号が表示され、建物仕様書出力対象部品画像表示欄６６には、建物仕様情報テーブル１１のデータ項目「代表部品画像」の情報により取得される画像データが表示される。
【０１２１】
一方、下側の建物仕様書出力対象部品情報欄６３Ｂは、建物仕様書出力対象部品属性種別名称・属性値名称表示欄６７と、建物仕様書出力対象部品表示欄６８とで構成されている。建物仕様書出力対象部品属性種別名称・属性値名称表示欄６７には、建物仕様情報テーブル１１のデータ項目「属性種別名称」の情報と文字列“：”と建物仕様情報テーブル１１のデータ項目「属性値名称」の情報を合成した文字列が表示され、建物仕様書出力対象部品属性画像表示欄６８には、建物仕様情報テーブル１１のデータ項目「属性画像」の情報により取得される画像データが表示される。
【０１２２】
なお、この建物仕様書出力対象部品表示・選択画面６０における画面制御処理は、前述したサーバ１の建物仕様書出力対象部品選択受付処理手段３３により実行される。
【０１２３】
なお、図２に示す建物仕様書編集対象シート表示・選択画面５０において、５個の選択ボタン５１のうち、「外部１」が表示されたボタン５１が操作されることにより、このボタン５１の下には、図３で示されているように、建物仕様書２１の「外部１」シートのメインページ１００の建物図面出力領域１０３に出力する顧客の建物の図面を端末装置３からサーバ１へアップロードするための［図面取込み］ボタン５２が表示されるようになっている。
【０１２４】
図３において［図面取込み］ボタン５２が操作されることにより、サーバ１の建物図面アップロード処理手段３５による画面制御処理が実行され、この後、図４で示すアップロード建物図面選択入力画面（ウィンドウ）８０が表示される。
【０１２５】
端末装置３の操作者は、このアップロード建物図面選択入力画面８０で、サーバ１へアップロードする顧客の建物の図面の画像データファイルを選択入力し、「開く」ボタン８０Ａを操作することにより、図５に示すアップロード処理実行確認画面（ウィンドウ）８１が表示される。なお、アップロード建物図面選択入力画面８０で、「キャンセル」ボタン８０Ｂが操作されることにより、図３で示す状態に戻る。
【０１２６】
図５に示すアップロード処理実行確認画面８１において、「はい」ボタン８１Ａが操作されると、アップロード建物図面選択入力画面８０で選択入力された顧客の建物の図面の画像データファイルが、サーバ１の所定の場所（ディレクトリ）へアップロードされる。アップロード処理実行確認画面８１において、「いいえ」ボタン８１Ｂが操作されると、アップロード処理が中止され、図３で示す状態に戻る。
【０１２７】
アップロード建物図面選択入力画面８０で選択入力された顧客の建物の図面の画像データファイルのサーバ１へのアップロード処理が正常に終了すると、図６に示すアップロード処理完了メッセージ画面（ウィンドウ）８２が表示される。この後、アップロード処理完了メッセージ画面８２の右上の［Ｘ］ボタン８２Ａを操作することにより、図７で示す状態となり、［図面取込み］ボタン５２の下の取込み済建物図面ファイル名表示欄５３には、サーバ１にアップロードされた顧客の建物の図面の画像データファイル名（拡張子を除く）が表示される。
【０１２８】
なお、アップロード処理が正常に終了すると、建物図面アップロード処理手段３５は、アップロードされた顧客の建物の図面情報をサーバ１の建物仕様書出力用図面情報テーブル１３に記憶する処理を実行する。上述した例では、建物仕様書出力用図面情報テーブル１３のデータ項目「プランＩＤ」には、現在建物仕様書２１の作成対象となっている顧客の建物のプランＩＤの情報がセットされ、データ項目「シート区分」には、１０（外部１）がセットされ、データ項目「画像ファイルパス」には、サーバ１に保存された図面の画像データのファイルパスがセットされる。
【０１２９】
次に、建物仕様書出力対象部品表示・選択画面６０において一覧表示されている部品のうち、建物仕様書２１に出力する部品を選択する操作手順について説明する。
【０１３０】
まず、建物仕様書２１のメインページ１００の１８個の部品仕様情報出力領域（エリア）１０４のいずれかに出力させる部品の選択は、出力させたい部品の代表部品画像が表示されている図７に示す建物仕様書出力対象部品画像表示欄６６の上の建物仕様書出力位置番号表示欄６５を操作する。
【０１３１】
これにより、サーバ１の部品仕様情報出力領域選択受付処理手段３４により、図８に示す部品仕様情報出力領域（出力位置）表示・選択画面（ウィンドウ）９０が表示される。
【０１３２】
なお、この部品仕様情報出力領域（出力位置）表示・選択画面９０における画面制御処理は、サーバ１の部品仕様情報出力領域選択受付処理手段３４により実行される。
【０１３３】
この図８から分かるように、部品仕様情報出力領域表示・選択画面９０のレイアウトは、建物仕様書２１のレイアウトをイメージしたものであり、この部品仕様情報出力領域表示・選択画面９０の中央部９１には、サーバ１にアップロードした顧客の建物の図面がサムネイル表示されており、この中央部９１に表示された顧客の建物の図面の周縁部９２には、１８個の部品仕様情報出力領域（エリア）と対応する１８個の部品出力位置選択ボタン９２Ａ〜９２Ｒが配置されている。
【０１３４】
ここで、操作者は、１８個の部品仕様情報出力領域のうち、図７に示す建物仕様書出力対象部品表示・選択画面６０で選択した部品の仕様情報を出力させたい領域と対応する部品出力位置選択ボタンを操作する。
【０１３５】
例えば、図７で示されている「屋根材」の代表部品画像を、建物仕様書２１の１８個の部品仕様情報出力領域のうち、一番左上の領域に出力したい場合には、図８に示す部品仕様情報出力領域（出力位置）表示・選択画面９０において、数字の「１」がされている部品出力位置選択ボタン９２Ａを操作すればよい。
【０１３６】
これにより、部品仕様情報出力領域（出力位置）表示・選択画面９０は消去されて、図９に示すように、建物仕様書出力対象部品表示・選択画面６０が再度表示される。
【０１３７】
この図９で示されているように、「屋根材」の代表部品画像が表示されている建物仕様書出力対象部品画像表示欄６６の上の建物仕様書出力位置番号表示欄６５には、数字の「１」が表示されている。また、「屋根材」の代表部品画像が表示されている建物仕様書出力対象部品画像表示欄６６の上辺部の左端部には、フラグ７０が表示され、さらに、この「屋根材」の代表部品画像が表示されている建物仕様書出力対象部品画像表示欄６６の外周には、太枠７１が表示されている。
【０１３８】
これにより、操作者は、「屋根材」の代表部品画像は、建物仕様書２１に出力対象となり、かつ、建物仕様書２１のメインページ１００の部品仕様情報出力領域（エリア）１０４のうち、出力位置番号「１」の領域に出力されることを確認できるようになる。
【０１３９】
図１０には、図９において、「屋根材」の代表部品画像が表示されている建物仕様書出力対象部品画像表示欄６６の上の建物仕様書出力位置番号表示欄６５を再度操作したときに表示される部品仕様情報出力領域（出力位置）表示・選択画面９０が示されている。
【０１４０】
この図１０で示されているように、１８個の部品出力位置選択ボタン９２Ａ〜９２Ｒのうち、部品出力位置選択ボタン９２Ａの外周は太枠表示されており、このため、現在建物仕様書２１の作成対象となっている「屋根材」の代表部品画像は、建物仕様書２１のメインページ１００の部品仕様情報出力領域（エリア）１０４のうち、出力位置番号「１」の領域に出力されることを再確認することができる。
【０１４１】
なお、「屋根材」の代表部品画像を、出力位置番号「１」の領域に出力することをやめる場合には、図１０において、部品出力位置選択ボタン９２Ａを再度操作する。これにより、部品出力位置選択ボタン９２Ａの外周に表示されていた太枠は消去される。この後は、［Ｘ］ボタン９３を操作することにより、部品仕様情報出力領域（出力位置）表示・選択画面９０は消去されて、図９に示すように、建物仕様書出力対象部品表示・選択画面６０が再度表示される。このとき、「屋根材」の代表部品画像が表示されている建物仕様書出力対象部品画像表示欄６６の上の建物仕様書出力位置番号表示欄６５に表示されていた数字の「１」は消去される。
【０１４２】
また、「屋根材」の代表部品画像を、出力位置番号「１」の領域から、他の領域に出力されるように変更したい場合には、図１０において、部品出力位置選択ボタン９２Ａを再度操作する。これにより、部品出力位置選択ボタン９２Ａの外周に表示されていた太枠は消去される。この後、出力させる領域と対応する部品出力位置選択ボタンを操作すればよい。
【０１４３】
図１１は、出力位置番号「１」〜「１０」の領域については、代表部品画像を出力することが選択済みとなっていることを示す図１０と同様の図である。この図１１で示されているように、代表部品画像を出力することが選択済みとなっている領域と対応する部品出力位置選択ボタン９２Ａ〜９２Ｊについては、選択済みであることを示すために背景がグレー（図１１では、便宜上ハッチング表示とした）に着色されるものとなっている。
【０１４４】
以上説明した操作方法と同様の操作方法で、出力位置番号「２」〜「１８」の領域に出力する部品の代表部品画像を決定していく。
【０１４５】
なお、図９で示されている建物仕様書出力対象部品属性画像表示欄６８に表示されている「屋根材」の属性画像も、「屋根材」の代表部品画像と同様に、建物仕様書２１のメインページ１００の部品仕様情報出力領域１０４のうち、出力位置番号「１」の領域に出力したい場合には、建物仕様書出力対象部品属性画像表示欄６８に表示されている「屋根材」の属性画像を操作すればよい。
【０１４６】
また、図９で示されている「破風・鼻隠し」の代表部品画像は、建物仕様書２１のメインページ１００の部品仕様情報出力領域１０４に出力せずに、建物仕様書２１の２ページ目以降のページである図示しないサブページに出力したい場合には、建物仕様書出力対象部品画像表示欄６６に表示されている「破風・鼻隠し」の代表部品画像を操作すればよい。
【０１４７】
図１２には、図９において、建物仕様書出力対象部品属性画像表示欄６８に表示されている「屋根材」の属性画像を操作するとともに、建物仕様書出力対象部品画像表示欄６６に表示されている「破風・鼻隠し」の代表部品画像を操作したときの建物仕様書出力対象部品表示・選択画面６０が示されている。
【０１４８】
この図１２で示されているように、「屋根材」の属性画像が表示されている建物仕様書出力対象部品属性画像表示欄６８の上辺部の左端部には、フラグ７０が表示され、さらに、この「屋根材」の属性画像が表示されている建物仕様書出力対象部品属性画像表示欄６８の外周には、太枠７１が表示されている。また、「破風・鼻隠し」の代表部品画像が表示されている建物仕様書出力対象部品画像表示欄６６の上辺部の左端部には、フラグ７０が表示され、さらに、この「破風・鼻隠し」の代表部品画像が表示されている建物仕様書出力対象部品画像表示欄６６の外周には、太枠７１が表示されている。
【０１４９】
以上説明した操作を、建物仕様書２１を構成する「外部２」シート、「内部１」シート及び「内部２」シートについても行う。
【０１５０】
なお、「水廻り設備」シートについては、顧客の建物の図面をアップロードし、このアップロードした図面を建物仕様書２１に出力できる仕様とはなっておらず、また、メインページ、サブページの区別はなく、出力位置の指定もできないため、建物仕様書２１に代表部品画像や属性画像を出力するために、出力する代表部品画像や属性画像を操作する作業のみとなる。
【０１５１】
建物仕様書２１を構成する５種類のシート（「外部１」「外部２」「内部１」「内部２」「水廻り設備」）について、出力する部品の仕様情報の選択が完了したら、図１２等で示されている建物仕様書出力対象部品表示・選択画面６０の右下部に配置されている建物仕様書出力ボタン５５を操作する。
【０１５２】
これにより、サーバ１の建物仕様書作成処理手段３６による建物仕様書２１の作成処理の実行が開始されるが、この前に、前述した建物仕様書出力対象部品表示・選択画面６０や部品仕様情報出力領域表示・選択画面９０において選択された建物仕様書２１に出力する部品の仕様情報を、前述したサーバ１の建物仕様書出力対象部品情報テーブル１２に記憶する（登録又は更新する）処理が、サーバ１の建物仕様書出力対象部品情報登録処理手段３８により実行される。
【０１５３】
前述したように、建物仕様書出力対象部品情報テーブル１２のデータ項目には、プランＩＤ、シート区分（１０（外部１）、２０（外部２）、３０（内部１）、４０（内部２）、５０（水廻り設備））、部品ＩＤ、部品仕様情報出力領域（出力位置）番号（１〜１８，スペース）、画像ファイルパス（部品画像又は属性画像データファイルのサーバ１のファイルパス）、画像区分（１（部品画像）、２（色属性画像）、３（その他属性画像））、画像タイトル名称（画像区分に従ってその都度編集される）等がある。
【０１５４】
例えば、図１２で表示されている「屋根材」についての建物仕様書出力対象部品情報テーブル１２に記憶される情報レコードは２件あり、１件目は、「屋根材」の部品画像についての情報レコードとして、データ項目「プランＩＤ」には、現在建物仕様書２１の作成対象となっている顧客の建物の識別情報であるプランＩＤの情報がセットされ、データ項目「シート区分」には、「１０」（外部１）がセットされ、データ項目「部品ＩＤ」には、「屋根材」の部品の識別情報である部品ＩＤの情報がセットされ、データ項目「部品仕様情報出力領域（出力位置）番号」には、「１」がセットされ、データ項目「画像ファイルパス」には、部品画像（図１２に示す代表部品画像）データファイルのサーバ１のファイルパスがセットされ、データ項目「画像区分」には、「１」（部品画像）がセットされ、データ項目「画像タイトル名称」には、「屋根材」の部品の複数の属性値名称を連結した文字列がセットされた情報レコードが、物仕様書出力対象部品情報テーブル１２に記憶（新規登録）される。
【０１５５】
２件目は、「屋根材」の属性画像についての情報レコードとして、データ項目「プランＩＤ」には、現在建物仕様書２１の作成対象となっている顧客の建物の識別情報であるプランＩＤの情報がセットされ、データ項目「シート区分」には、「１０」（外部１）がセットされ、データ項目「部品ＩＤ」には、「屋根材」の部品の識別情報である部品ＩＤの情報がセットされ、データ項目「部品仕様情報出力領域（出力位置）番号」には、「スペース」がセットされ、データ項目「画像ファイルパス」には、属性画像（図１２に示す属性画像）データファイルのサーバ１のファイルパスがセットされ、データ項目「画像区分」には、「２」（色属性画像）がセットされ、データ項目「画像タイトル名称」には、文字列「（１）（図では、丸付き数字１）」と属性種別名称と文字列「：」と属性値名称を連結した文字列（具体的には、「（１）（図では、丸付き数字１）色：ココナッツブラウン」）がセットされた情報レコードが、建物仕様書出力対象部品情報テーブル１２に記憶（新規登録）される。
【０１５６】
なお、建物仕様書出力対象部品情報テーブル１２に記憶された各部品の仕様情報は、建物仕様書編集対象シート選択受付処理手段３１による建物仕様書出力対象部品表示・選択画面６０の表示処理の際に参照される。
【０１５７】
建物仕様書出力対象部品情報登録処理手段３８による建物仕様書２１に出力する部品の仕様情報の建物仕様書出力対象部品情報テーブル１２への登録処理が終了した後は、サーバ１の建物仕様書作成処理手段３６による建物仕様書２１の作成処理が実行される。
【０１５８】
建物仕様書作成処理手段３６は、前述した建物仕様書出力対象部品情報テーブル１２に登録されているレコードの情報、建物仕様書出力用図面情報テーブル１３に記憶されている情報、及び顧客情報テーブルに記憶されているレコードの情報を参照して、データ形式がスプレッドシート形式の建物仕様書２１の作成処理を実行するものである。
【０１５９】
建物仕様書作成処理手段３６は、まず、建物仕様書２１を構成する「外部１」シートを作成する処理を実行し、この後、建物仕様書２１を構成する「外部２」シート、「内部１」シート、「内部２」シート、「水廻り設備」シートを作成する処理を実行し、最後に、「内装」シートを作成する処理を実行する。
【０１６０】
ここで、建物仕様書２１を構成する「外部１」シート、「外部２」シート、「内部１」シート、「内部２」シート及び「水廻り設備」シートのうち、建物仕様書作成処理手段３６による「外部１」シートの作成処理について説明すると、まず、建物仕様書作成処理手段３６は、建物仕様書出力対象部品情報テーブル１２に記憶されているレコードのうち、データ項目「プランＩＤ」の情報が、現在建物仕様書２１の作成対象となっている顧客の建物の識別情報であるプランＩＤの情報と一致し、かつ、データ項目「シート区分」の情報が「１０」であるレコードを抽出する。また、建物仕様書作成処理手段３６は、建物仕様書出力用図面情報テーブル１３に記憶されているレコードのうち、データ項目「プランＩＤ」の情報が、現在建物仕様書２１の作成対象となっている顧客の建物の識別情報であるプランＩＤの情報と一致し、かつ、データ項目「シート区分」の情報が「１０」であるレコードを抽出する処理を実行する。この後、建物仕様書作成処理手段３６は、抽出したこれらのレコードに基づいて、「外部１」シートを作成する処理を実行する。
【０１６１】
これと同様に、建物仕様書作成処理手段３６は、「外部２」シートを作成するときには、建物仕様書出力対象部品情報テーブル１２と建物仕様書出力用図面情報テーブル１３のそれぞれに記憶されているレコードのうち、データ項目「プランＩＤ」の情報が、現在建物仕様書２１の作成対象となっている顧客の建物の識別情報であるプランＩＤの情報と一致し、かつ、データ項目「シート区分」の情報が「２０」であるレコードを抽出する処理を実行し、「内部１」シートを作成するときには、建物仕様書出力対象部品情報テーブル１２と建物仕様書出力用図面情報テーブル１３のそれぞれに記憶されているレコードのうち、データ項目「プランＩＤ」の情報が、現在建物仕様書２１の作成対象となっている顧客の建物の識別情報であるプランＩＤの情報と一致し、かつ、データ項目「シート区分」の情報が「３０」であるレコードを抽出する処理を実行し、「内部２」シートを作成するときには、建物仕様書出力対象部品情報テーブル１２と建物仕様書出力用図面情報テーブル１３のそれぞれに記憶されているレコードのうち、データ項目「プランＩＤ」の情報が、現在建物仕様書２１の作成対象となっている顧客の建物の識別情報であるプランＩＤの情報と一致し、かつ、データ項目「シート区分」の情報が「４０」であるレコードを抽出する処理を実行し、「水廻り設備」シートを作成するときには、建物仕様書出力対象部品情報テーブル１２と建物仕様書出力用図面情報テーブル１３のそれぞれに記憶されているレコードのうち、データ項目「プランＩＤ」の情報が、現在建物仕様書２１の作成対象となっている顧客の建物の識別情報であるプランＩＤの情報と一致し、かつ、データ項目「シート区分」の情報が「５０」であるレコードを抽出する処理を実行する。
【０１６２】
なお、建物仕様書２１を構成する「内装」シートの出力項目、レイアウト等についての説明は省略する。
【０１６３】
本実施形態では、作成されたスプレッドシート形式の建物仕様書２１は、サーバ１の建物仕様書ダウンロード処理手段３７によって端末装置３の所定のダウンロードフォルダにダウンロードされるようになっている。
【０１６４】
図１３及び図１４には、建物仕様書作成処理手段３６により作成されたスプレッドシート形式の建物仕様書２１が、表計算ソフトウェアで読み込まれたときを示す図であり、図１３は、建物仕様書２１の「外部１」シートの１ページ目であるメインページ１００が表示されたときを示す図であり、図１４は、建物仕様書２１の「内部１」シートの１ページ目であるメインページ１００が表示されたときを示す図である。
【０１６５】
図１３及び図１４で示されているように、本実施形態に係る建物仕様書２１の「外部１」シート及び「内部１」シート（「外部２」シート、「内部２」シートも同様）のレイアウトは、フッター部１０１と、このフッター部１０１の上の明細部１０２とからなっている。
【０１６６】
フッター部１０１の出力項目には、例えば、「顧客の住宅の販売店の名称」、「顧客の氏名」、「シート名称」（「外部１仕様」、「外部２仕様」、「内部１仕様」、「内部２仕様」、「水廻り設備仕様」、「内装仕様」等）、「シートの作成年月日」等があり、「シート名称」以外の出力項目の情報は、各シートで共通の情報となっている。なお、「顧客の氏名」の情報は、建物仕様書作成処理手段３６により、顧客情報テーブルに記憶されているレコードのうち、データ項目「プランＩＤ」の情報が、現在建物仕様書２１の作成対象となっている顧客の建物の識別情報であるプランＩＤと一致するレコードのデータ項目「氏名」の情報から取得される。
【０１６７】
図１５には、図１３で示されている「外部１」シートの明細部１０２の拡大図が示されている。この図１５に示すように、明細部１０２は、建物仕様書編集対象シート表示・選択画面５０において端末装置３からサーバ１へアップロードした顧客の建物の図面の画像データが出力される建物図面出力領域（エリア）１０３と、建物仕様書出力対象部品表示・選択画面６０において出力することを選択した部品の仕様情報が出力される１８個の部品仕様情報出力領域（エリア）１０４からなっており、これらの１８個の部品仕様情報出力領域（エリア）１０４は、建物図面出力領域１０３の周縁部に配置されている。言い換えると、１８個の部品仕様情報出力領域１０４は、建物図面出力領域１０３を取り囲むように配置されている。
【０１６８】
また、建物図面出力領域１０３の中央部は、顧客の建物の図面の画像データが出力される建物図面画像データ出力領域１０５となっており、この建物図面画像データ出力領域１０５の左右の両側は、１８個の部品仕様情報出力領域１０４を識別するための識別情報である出力位置番号の画像データが出力される部品仕様情報出力領域（出力位置）番号画像データ出力領域１０６となっている。図１５で示されているように、左側の部品仕様情報出力領域（出力位置）番号画像データ出力領域１０６には、「１」〜「９」（図面では丸付き数字）の合計９個の画像データが上下方向に並んで配置されており、右側の部品仕様情報出力領域（出力位置）番号画像データ出力領域１０６には、「１０」〜「１８」（図面では丸付き数字）の合計９個の画像データが上下方向に並んで配置されている。
【０１６９】
なお、「１」〜「１８」の合計１８個の番号の画像データは、「外部１」、「外部２」、「内部１」及び「内部２」の４種類のシートのメインページ１００の建物図面出力領域１０３の部品仕様情報出力領域（出力位置）番号画像データ出力領域１０６で出力される。
【０１７０】
図１６は、図１５で示されている明細部１０２の左上部の部分拡大図であり、図１７は、図１６で示されている部品仕様情報出力領域１０４のうちの一番左上の部品仕様情報出力領域１０４Ａの拡大図である。
【０１７１】
この図１７で示されているように、部品仕様情報出力領域１０４には、上から、出力領域（出力位置）番号出力領域１１０と、部品カテゴリ名称出力領域１１１と、部品画像データ出力領域１１２と、見出し番号出力領域１１３と、色属性画像／その他属性画像データ出力領域１１４と、部品画像タイトル出力領域１１５と、見出し番号出力領域１１６と、色属性画像／その他属性画像タイトル出力領域１１７と、がある。
【０１７２】
出力領域（出力位置）番号出力領域１１０には、この部品仕様情報出力領域１０４の識別情報である出力位置番号が表示され、図１７の例では、部品仕様情報出力領域１０４Ａの識別情報である出力位置番号「１」（図面では丸付き数字）が出力される。
【０１７３】
部品カテゴリ名称出力領域１１１には、部位（中分類）カテゴリ名称と文字列「≫」とパターン名称と文字列「：」と部品カテゴリ名称とを連結した文字情報が出力される。なお、「部位（中分類）カテゴリ名称」は、部品カテゴリ情報マスタ１５から参照、取得し、「パターン名称」は、建物仕様情報テーブル１１から参照、取得し、「部品カテゴリ名称」は、部品カテゴリ情報マスタ１５から参照、取得する。なお、参照した建物仕様情報テーブル１１のレコードのデータ項目「パターン名称」の情報がスペースであった場合、部品カテゴリ名称出力領域１１１には、パターン名称と文字列「：」は出力されない。
【０１７４】
部品画像データ出力領域１１２には、建物仕様書出力対象部品情報テーブル１２のレコードのうち、データ項目「画像区分」の情報が１（部品画像）のレコードのデータ項目「画像ファイルパス」の画像データが出力される。
【０１７５】
見出し番号出力領域１１３には、見出し番号「１」又は「２」（図面では丸付き数字）が出力される。
【０１７６】
色属性画像／その他属性画像データ出力領域１１４には、建物仕様書出力対象部品情報テーブル１２のレコードのうち、データ項目「画像区分」の情報が２（色属性画像）又は３（その他属性画像）のレコードのデータ項目「画像ファイルパス」の画像データが出力される。
【０１７７】
部品画像タイトル出力領域１１５には、建物仕様書出力対象部品情報テーブル１２のレコードのうち、データ項目「画像区分」の情報が１（部品画像）のレコードのデータ項目「画像タイトル名称」の情報が出力される。
【０１７８】
見出し番号出力領域１１６には、見出し番号「１」又は「２」（図面では丸付き数字）が出力される。
【０１７９】
色属性画像／その他属性画像タイトル出力領域１１７には、建物仕様書出力対象部品情報テーブル１２のレコードのうち、データ項目「画像区分」の情報が２（色属性画像）又は３（その他属性画像）のレコードのデータ項目「画像タイトル名称」の情報が出力される。
【０１８０】
図１８には、部品仕様情報出力領域（出力位置）表示・選択画面９０において、部品仕様情報出力領域１０４に出力する属性画像が２個選択された場合におけるこの部品仕様情報出力領域１０４の情報の出力例である。
【０１８１】
この図１８で示されているように、出力対象となる属性画像が２個選択された場合には、見出し番号と色属性画像／その他属性画像データとが上下に並んで出力される。色属性画像／その他属性画像タイトル出力領域１１７には、建物仕様書出力対象部品情報テーブル１２のレコードのうち、データ項目「画像区分」の情報が２（色属性画像）又は３（その他属性画像）の２レコードのデータ項目「画像タイトル名称」の情報が、文字列「スラッシュ」１１８で区切られて、横方向に並んで出力される。
【０１８２】
なお、図１８の例では、部品カテゴリ名称出力領域１１１には、部位（中分類）カテゴリ名称と文字列「≫」とパターン名称と文字列「：」と部品カテゴリ名称とを連結した文字情報が出力されている。
【０１８３】
前述したように、建物図面出力領域１０３の中央部は、顧客の建物の図面の画像データが出力される建物図面画像データ出力領域１０５となっており、この建物図面画像データ出力領域１０５の両側は、１８個の部品仕様情報出力領域１０４を識別するための識別情報である出力位置番号の画像データが出力される化した部品仕様情報出力領域（出力位置）番号画像データ出力領域１０６となっている。図１５で示されているように、左側の部品仕様情報出力領域（出力位置）番号画像データ出力領域１０６には、１〜９（図面では丸付き数字）の合計９個の画像データが上下方向に並んで配置されており、右側の部品仕様情報出力領域（出力位置）番号画像データ出力領域１０６には、１０〜１８（図面では丸付き数字）の合計９個の画像データが上下方向に並んで配置されている。
【０１８４】
本実施形態では、建物仕様書２１はデータ形式がスプレッドシート形式となっているため、この建物仕様書２１が表計算ソフトウェアで読み込まれた状態で、左側の部品仕様情報出力領域（出力位置）番号画像データ出力領域１０６に配置されている１〜９（図面では丸付き数字）の合計９個の画像データと、右側の部品仕様情報出力領域（出力位置）番号画像データ出力領域１０６に配置されている１０〜１８（図面では丸付き数字）の合計９個の画像データは、自由に移動することが可能となっている。
【０１８５】
図１９は、これら１８個の数字の画像データを移動させたときを示す図１６と同様の図である。
【０１８６】
図１９の例では、１８個ある部品仕様情報出力領域１０４のうち、部品仕様情報出力領域１０４Ｂは、出力位置番号が「２」であり、この部品仕様情報出力領域１０４Ｂには、「破風・鼻隠し」の代表部品画像と属性画像を含む仕様情報が出力されている。
【０１８７】
そこで、左側の部品仕様情報出力領域（出力位置）番号画像データ出力領域１０６に配置されている２（図面では丸付き数字）の画像データを、建物図面出力領域１０３の建物図面画像データ出力領域１０５に出力されている顧客の建物の立面図のうちの屋根の部分またはその近傍まで移動させることにより、顧客は、部品仕様情報出力領域１０４Ｂに仕様情報が出力されている「破風・鼻隠し」は、顧客の建物のどの部分を構成する部品であって、どのような仕様の部品であるのかを容易に確認できるようになる。
【０１８８】
以上の説明は、「外部１」シートについてであったが、図２０には、図１４で示されている「内部１」シートの明細部１０２の拡大図が示されており、図２１は、図２０で示されている明細部１０２の左上部の部分拡大図であり、図２２は、建物図面画像データ出力領域１０５の両側に配置されている部品仕様情報出力領域（出力位置）番号画像データ出力領域１０６に出力された１８個の数字の画像データを移動させたときを示す図２１と同様の図である。
【０１８９】
これらの図から分かるように、「内部１」シートでは、建物図面画像データ出力領域１０５には、顧客の建物の平面図が出力されることが好ましい。
【０１９０】
図２２に示されているように、１８個ある部品仕様情報出力領域１０４のうち、部品仕様情報出力領域１０４Ｈは、出力位置番号が「８」であり、この部品仕様情報出力領域１０４Ｈには、「内部建具基本仕様」として「１Ｆトイレ：ハンドル」の代表部品画像を含む仕様情報が出力されている。
【０１９１】
そこで、左側の部品仕様情報出力領域（出力位置）番号画像データ出力領域１０６に配置されている８（図面では丸付き数字）の画像データを、建物図面出力領域１０３の建物図面画像データ出力領域１０５に出力されている顧客の建物の平面図のうちの１Ｆトイレの部分またはその近傍まで移動させることにより、顧客は、部品仕様情報出力領域１０４Ｈに仕様情報が出力されている「１Ｆトイレ：ハンドル」は、顧客の建物のどの部分を構成する部品であって、どのような仕様の部品であるのかを容易に確認できるようになる。
【０１９２】
以上説明したように、本実施形態では、建物仕様書２１のうち、「シート区分」が１０，２０，３０，４０であるシートの１ページ目であるメインページ１００には、顧客の建物を構成する部品の仕様情報が出力される部品仕様情報出力領域１０４が複数（本実施形態では１８個）設定されており、それぞれの部品仕様情報出力領域１０４には、それぞれの部品仕様情報出力領域１０４を識別するための識別情報である出力領域（出力位置）番号が割り当てられており、サーバ１は、建物仕様書２１に仕様情報を出力する部品の識別情報である部品ＩＤと、部品の仕様情報が出力される建物仕様書２１の部品仕様情報出力領域１０４の識別情報である部品仕様情報出力領域（出力位置）番号と、を含む情報を、顧客の建物の識別情報であるプランＩＤと関連付けて記憶する建物仕様書出力対象部品情報記憶手段である建物仕様書出力対象部品情報テーブル１２と、仕様情報が確定した部品の一覧を表示するとともにこの一覧から建物仕様書２１に仕様情報を出力する部品を選択させるための建物仕様書出力対象部品表示・選択画面６０の表示用データを端末装置３へ送信するとともに、建物仕様書出力対象部品表示・選択画面６０で選択されて端末装置３からネットワーク２を介して送信されてくる部品ＩＤを含む情報を受信する処理を実行する建物仕様書出力対象部品選択受付処理手段３３と、建物仕様書２１の部品仕様情報出力領域１０４の一覧を表示するとともにこの一覧から建物仕様書出力対象部品選択受付処理手段３３により受け付けた部品の仕様情報を出力させる部品仕様情報出力領域１０４を選択させるため部品仕様情報出力領域表示・選択画面９０の表示用データを端末装置３へ送信するとともに、部品仕様情報出力領域表示・選択画面９０で選択されて端末装置３からネットワーク２を介して送信されてくる建物仕様書２１の部品仕様情報出力領域１０４の出力領域（出力位置）番号を含む情報を受信する処理を実行する部品仕様情報出力領域選択受付処理手段３４と、建物仕様書出力対象部品選択受付処理手段３３により受け付けた建物仕様書２１に仕様情報を出力する部品の識別情報である部品ＩＤと、部品仕様情報出力領域選択受付処理手段３４により受け付けた部品の仕様情報が出力される建物仕様書２１の部品仕様情報出力領域１０４の部品仕様情報出力領域（出力位置）番号と、を含む情報を、プランＩＤと関連付けて建物仕様書出力対象部品情報テーブル１２に記憶させる処理を実行する建物仕様書出力対象部品情報登録処理手段３８と、を備えており、建物仕様書作成処理手段３６は、建物仕様書出力対象部品情報テーブル１２に記憶された建物仕様書２１に仕様情報を出力する部品の識別情報である部品ＩＤと、部品の仕様情報が出力される建物仕様書２１の部品仕様情報出力領域１０４の出力領域（出力位置）番号と、建物仕様情報テーブル１１に記憶された顧客の建物を構成する部品の仕様情報と、含む情報に基づいて、建物仕様書２１を作成する処理を実行するようになっている。
【０１９３】
本実施形態では、上述したように、建物仕様書２１のメインページ１００に複数設定されているそれぞれの部品仕様情報出力領域１０４には、それぞれの部品仕様情報出力領域１０４を識別するための識別情報（言い換えると、部品仕様情報出力位置番号）が割り当てられており（言い換えると、付与されており）、これらの識別情報は、サーバの建物仕様書出力対象部品情報テーブル１２に、顧客の建物毎（言い換えると、顧客の建物単位）に記憶されている。
【０１９４】
また、本実施形態では、建物仕様書２１に仕様情報を出力する部品の選択は、サーバ１の建物仕様書出力対象部品選択受付処理手段３３により実行され、この建物仕様書出力対象部品選択受付処理手段３３により受け付けた部品の仕様情報を出力させる建物仕様書２１の部品仕様情報出力領域１０４の選択は、サーバ１の部品仕様情報出力領域選択受付処理手段３４により実行され、建物仕様書出力対象部品選択受付処理手段３３により受け付けた建物仕様書２１に仕様情報を出力する部品の識別情報と、部品仕様情報出力領域選択受付処理手段３４により受け付けた部品の仕様情報が出力される建物仕様書２１の部品仕様情報出力領域１０４の識別情報と、を含む情報を、プランＩＤと関連付けて建物仕様書出力対象部品情報テーブル１２に記憶させる処理が、サーバ１の建物仕様書出力対象部品情報登録処理手段３８により実行される。
【０１９５】
そして、本実施形態では、サーバ１の建物仕様書作成処理手段３６は、建物仕様書出力対象部品情報テーブル１２に記憶された建物仕様書２１に仕様情報を出力する部品の識別情報と、部品の仕様情報が出力される建物仕様書２１の部品仕様情報出力領域１０４の識別情報と、建物仕様情報テーブル１１に記憶された顧客の建物を構成する部品の仕様情報と、含む情報に基づいて、建物仕様書２１を作成する処理を実行するようになっている。
【０１９６】
このように、本実施形態では、サーバ１に備えられている部品仕様情報出力領域選択受付処理手段３４により、部品の仕様情報を出力させる建物仕様書２１の部品仕様情報出力領域１０４を自由に選択することが可能となっている。
【０１９７】
このため、本実施形態によると、建物仕様書２１に仕様情報が出力される部品の並び順を柔軟に変更できるようになる。
【０１９８】
また、本実施形態では、建物仕様書作成処理手段３６は、建物仕様書２１のメインページ１００のそれぞれの部品仕様情報出力領域１０４を識別するための識別情報である部品仕様情報出力位置番号を、建物図面出力領域１０３に出力するものであり、この建物図面出力領域１０３に出力されるそれぞれの部品仕様情報出力領域の部品仕様情報出力位置番号は、データ形式がスプレッドシート形式となっている建物仕様書３２の建物図面出力領域１０３を移動可能な画像データで形成されるものとなっている。
【０１９９】
このため、本実施形態によると、部品仕様情報出力領域に仕様情報が出力されている部品が、顧客の建物のどの部分を構成する部品であって、どのような仕様の部品であるかを、顧客が容易に確認できるようになる。
【０２００】
なお、本実施形態において、建物仕様書を作成する顧客の建物の選択（言い換えると、建物仕様書の作成対象となる顧客の建物の選択）は、建物仕様情報テーブル１１６に建物を構成する部品の確定済の仕様情報が記憶されている顧客の建物の一覧を表示するととともにこの一覧から建物仕様書を作成する顧客の建物を選択させるための図示しない建物仕様書作成対象顧客建物表示・選択画面の表示用データを端末装置３に送信するとともに、建物仕様書作成対象顧客建物表示・選択画面で選択されて端末装置３からネットワーク２を介して送信されてくる顧客の建物の識別情報（本実施形態では、プランＩＤ）を含む情報を受信する処理を実行する図示されない建物仕様書作成対象顧客建物選択受付処理手段をサーバ１に備え、この建物仕様書作成対象顧客建物選択受付処理手段により受け付けた識別情報を有する顧客の建物についての建物仕様書を作成する処理が、サーバ１の建物仕様書作成処理手段３６により実行されるようにしてもよい。
【０２０１】
すなわち、本実施形態において、建物仕様書を作成する顧客の建物は、建物仕様書作成対象顧客建物表示・選択画面に一覧表示された顧客の建物の一覧から選択できるようにし、この建物仕様書作成対象顧客建物表示・選択画面で選択された顧客の建物（実際には、顧客の建物の識別情報であるプランＩＤ）についての建物仕様書の作成処理が、サーバ１の建物仕様書作成処理手段３６により実行されるようしてもよい。
【０２０２】
以上説明した本実施形態は、建物である住宅に適用したものであったが、以上説明した本実施形態は、建物である事務所、倉庫、店舗、工場、校舎、宿泊所、車庫等にも適用できるものである。
【０２０３】
なお、以上説明した実施形態における各マスタ及び各テーブルの項目、レイアウト、データ構造は一例であり、上述したものに限定されるものではなく、任意なものでよい。
【産業上の利用可能性】
【０２０４】
本発明は、建物である住宅、事務所、倉庫、店舗、工場、校舎、宿泊所、車庫等を構成する部品の仕様情報が出力される建物仕様書を作成するための建物仕様書作成システムに利用できる。
【符号の説明】
【０２０５】
１  サーバ
２  ネットワーク
３  端末装置
１１  建物仕様情報記憶処理手段である建物仕様情報テーブル
１２  建物仕様書出力対象部品情報記憶手段である建物仕様書出力対象部品情報テーブル
２１  建物仕様書
３３  建物仕様書出力対象部品選択受付処理手段
３４  部品仕様情報出力領域選択受付処理手段
３５  建物図面アップロード処理手段
３６  建物仕様書作成処理手段
３７  建物仕様書ダウンロード処理手段
３８  建物仕様書出力対象部品情報登録処理手段
６０  建物仕様書出力対象部品表示・選択画面
９０  部品仕様情報出力領域表示・選択画面
１０３  建物図面出力領域
１０４  部品仕様情報出力領域
【図１】
0006538470.tif 000002
【図２】
0006538470.tif 000003
【図３】
0006538470.tif 000004
【図４】
0006538470.tif 000005
【図５】
0006538470.tif 000006
【図６】
0006538470.tif 000007
【図７】
0006538470.tif 000008
【図８】
0006538470.tif 000009
【図９】
0006538470.tif 000010
【図１０】
0006538470.tif 000011
【図１１】
0006538470.tif 000012
【図１２】
0006538470.tif 000013
【図１３】
0006538470.tif 000014
【図１４】
0006538470.tif 000015
【図１５】
0006538470.tif 000016
【図１６】
0006538470.tif 000017
【図１７】
0006538470.tif 000018
【図１８】
0006538470.tif 000019
【図１９】
0006538470.tif 000020
【図２０】
0006538470.tif 000021
【図２１】
0006538470.tif 000022
【図２２】
0006538470.tif 000023